【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
目標色を再現するために、複数種の画像信号値によって表現される画像データの変換を行う画像処理システムにおいて、
所定の色変換用データに基づき、前記画像データを変換する色変換手段を含み、
前記色変換用データは、前記画像信号値の種別ごとに、色変換後の画像信号値を、色変換前の複数種の画像信号値と対応付けるための信号別対応付けデータを含み、
前記色変換手段は、
入力される画像信号値と、前記信号別対応付けデータと、に基づき、前記画像信号値の種別ごとに、画像信号値の色変換を行う手段と、
色変換の行われた画像信号値を、前記画像信号値の種別ごとに統合する手段と、
を含むことを特徴とする画像処理システム。
【請求項２】
請求項１において、
所定の状況において、前記目標色に応じて前記色変換用データを生成する色変換用データ生成手段を含むことを特徴とする画像処理システム。
【請求項３】
請求項１、２のいずれかにおいて、
前記信号別対応付けデータは、前記複数種の画像信号値を比率で表現したものであることを特徴とする画像処理システム。
【請求項４】
請求項１〜３のいずれかにおいて、
前記画像データは、動画像データであることを特徴とする画像処理システム。
【請求項５】
請求項２〜４のいずれかにおいて、
前記色変換用データ生成手段は、視環境を示す環境情報に基づき、前記色変換用データを生成することを特徴とする画像処理システム。
【請求項６】
請求項２〜５のいずれかにおいて、
前記色変換用データ生成手段は、画像の校正時に、前記色変換用データを生成することを特徴とする画像処理システム。
【請求項７】
目標色を再現するために、複数種の画像信号値によって表現される画像データの変換を行うためのプログラムであり、コンピュータにより読み取り可能なプログラムであって、
所定の色変換用データに基づき、前記画像データを変換する色変換手段としてコンピュータを機能させ、
前記色変換用データは、前記画像信号値の種別ごとに、色変換後の画像信号値を、色変換前の複数種の画像信号値と対応付けるための信号別対応付けデータを含み、
前記色変換手段は、
入力される画像信号値と、前記信号別対応付けデータと、に基づき、前記画像信号値の種別ごとに、画像信号値の色変換を行う手段と、
色変換の行われた画像信号値を、前記画像信号値の種別ごとに統合する手段と、
を含むことを特徴とするプログラム。
【請求項８】
請求項７において、
所定の状況において、前記目標色に応じて前記色変換用データを生成する色変換用データ生成手段としてコンピュータを機能させることを特徴とするプログラム。
【請求項９】
請求項７、８のいずれかにおいて、
前記信号別対応付けデータは、前記複数種の画像信号値を比率で表現したものであることを特徴とするプログラム。
【請求項１０】
請求項７〜９のいずれかにおいて、
前記画像データは、動画像データであることを特徴とするプログラム。
【請求項１１】
請求項８〜１０のいずれかにおいて、
前記色変換用データ生成手段は、視環境を示す環境情報に基づき、前記色変換用データを生成することを特徴とするプログラム。
【請求項１２】
請求項８〜１１のいずれかにおいて、
前記色変換用データ生成手段は、画像の校正時に、前記色変換用データを生成することを特徴とするプログラム。
【請求項１３】
コンピュータにより読み取り可能な情報記憶媒体であって、
請求項８〜１２のいずれかのプログラムを記憶したことを特徴とする情報記憶媒体。
【手続補正２】
【補正対象書類名】明細書
【補正対象項目名】００１０
【補正方法】変更
【補正の内容】
【００１０】
また、本発明に係るプログラムは、目標色を再現するために、複数種の画像信号値によって表現される画像データの変換を行うためのプログラムであり、コンピュータにより読み取り可能なプログラムであって、
所定の色変換用データに基づき、前記画像データを変換する色変換手段としてコンピュータを機能させ、
前記色変換用データは、前記画像信号値の種別ごとに、色変換後の画像信号値を、色変換前の複数種の画像信号値と対応付けるための信号別対応付けデータを含み、
前記色変換手段は、
入力される画像信号値と、前記信号別対応付けデータと、に基づき、前記画像信号値の種別ごとに、画像信号値の色変換を行う手段と、
色変換の行われた画像信号値を、前記画像信号値の種別ごとに統合する手段と、
を含むことを特徴とする。


【手続補正３】
【補正対象書類名】明細書
【補正対象項目名】００１１
【補正方法】変更
【補正の内容】
【００１１】
また、本発明に係る情報記憶媒体は、コンピュータにより読み取り可能な情報記憶媒体であって、上記手段をコンピュータに実現させるためのプログラムを記憶したことを特徴とする。


【手続補正４】
【補正対象書類名】明細書
【補正対象項目名】００１７
【補正方法】変更
【補正の内容】
【００１７】
また、前記プログラムは、所定の状況において、前記目標色に応じて前記色変換用データを生成する色変換用データ生成手段としてコンピュータを機能させてもよい。


【手続補正５】
【補正対象書類名】明細書
【補正対象項目名】００１８
【補正方法】変更
【補正の内容】
【００１８】
また、前記情報記憶媒体は、前記色変換用データ生成手段としてコンピュータを機能させるプログラムを記憶してもよい。


【手続補正６】
【補正対象書類名】明細書
【補正対象項目名】００３８
【補正方法】変更
【補正の内容】
【００３８】
図２は、従来のプロジェクタ内のプロジェクタ画像処理部１００の機能ブロックの一例を示す図である。


【手続補正７】
【補正対象書類名】明細書
【補正対象項目名】００５５
【補正方法】変更
【補正の内容】
【００５５】
次に、本実施形態の一例に係るプロジェクタ２０内のプロジェクタ画像処理部１００の機能ブロックについて説明する。


【手続補正８】
【補正対象書類名】明細書
【補正対象項目名】００５６
【補正方法】変更
【補正の内容】
【００５６】
図３は、本実施形態の一例に係るプロジェクタ２０内のプロジェクタ画像処理部１００の機能ブロック図である。


【手続補正９】
【補正対象書類名】明細書
【補正対象項目名】００５７
【補正方法】変更
【補正の内容】
【００５７】
図２に示すプロジェクタ画像処理部１００との違いは、色域演算部１６０によって求められた色域に基づいて色を変換するための変換用データを生成する変換用データ生成部１３０と、生成された変換用データを記憶する変換用データ記憶部１２３と、入力される画像信号値と、信号別対応付けデータとに基づき、画像信号値の種別ごとに、画像信号値の色変換を行う変換部１２５と、変換された画像信号値を画像信号値の種別ごとに統合する統合部１２７とを設けていることである。


【手続補正１０】
【補正対象書類名】明細書
【補正対象項目名】図２
【補正方法】変更
【補正の内容】
【図２】従来のプロジェクタ内のプロジェクタ画像処理部の機能ブロックの一例を示す図である。


【手続補正１１】
【補正対象書類名】明細書
【補正対象項目名】図３
【補正方法】変更
【補正の内容】
【図３】本実施形態の一例に係るプロジェクタ内のプロジェクタ画像処理部の機能ブロック図である。